(57)【要約】【課題】廃棄物の収容及び運搬に用いるコンテナに自然状態では嵩高となる廃棄物を押込む装置に関し、小型で特に設置スペースを小さくすることができ、しかもコンテナの隅々にまで効率良く廃棄物を押込むことができる別置き型の廃棄物押込み装置を得る。【解決手段】廃棄物を押込むプッシャ１５と、このプッシャの通過空間の上部に投入口２０を有する外箱１６とを備え、前記プッシャが、縦軸２３回りに往復揺動する腕２９の先端側に当該腕から前方に突出するように設けられている。プッシャ１５を縦軸２３回りに往復揺動させるようにしているため、コンテナの設置スペースや車両の進入スペースを含む処理スペースを大幅に減少できる。【選択図】      図１
2004345854.tif 000002
【特許請求の範囲】
【請求項１】
コンテナの壁面（３４）に設けられた受入れ口（１０）の形状に対応する正面形状の往復駆動されるプッシャ（１５）と、このプッシャの通過空間を区画すると共に当該通過空間の上部に投入口（２０）を有する外箱（１６）とを備えた廃棄物の押込み装置において、前記プッシャが、縦軸（２３）回りに往復揺動する腕（２９）の先端側に当該腕から前方に突出するように設けられている、廃棄物の押込み装置。
【請求項２】
前記プッシャを往復揺動するシリンダ（２７）が前記外箱の底板下に対角方向に配置されている、請求項１記載の廃棄物の押込み装置。
【請求項３】
プッシャの押圧面が、腕先端側の縦長内向き傾斜面と、下方の横長上向き傾斜面とを備えた正面視で方形の押圧面である、請求項１又は２記載の廃棄物の押込み装置。
【発明の詳細な説明】
【０００１】
【発明が属する技術分野】
この発明は、廃棄物の収容及び運搬に用いるコンテナに自然状態では嵩高となる廃棄物を押込む装置に関するもので、廃棄物が生じる工場の敷地内などにコンテナとは別置きで設置される上記装置に関するものである。
【０００２】
【従来の技術】
廃棄物が発生する工場の敷地内にコンテナを置いて、発生した廃棄物を当該コンテナに収容し、コンテナが一杯になったときに、廃棄物処理業者が当該コンテナを搬出すると共に、空のコンテナを置いて行くという態様で廃棄物の収集が行われている。廃棄物が金属片などであれば、それを単にコンテナに投入してやればよいが、使用済の包装シートなどである場合は、自然状態ではシートの弾力によって膨らんで嵩高となるので、コンテナがすぐに一杯になってしまい、収容率や運搬能率が非常に低くなる。そこでこのような自然状態では嵩高になる廃棄物は、押込み装置でコンテナ内に強制的に押込んで、収納率や運搬効率を上げるようにしている。
【０００３】
廃棄物をコンテナ内に強制的に押込むには、押込み動作を行う装置が必要である。この種の装置は、通常、板状のプッシャを備えており、このプッシャを往復動させてプッシャの前面に投入された廃棄物をコンテナ内に押込む。このような押込み装置には、コンテナに内蔵されたものと、コンテナとは別置きで設置されるものとがある。
【０００４】
コンテナと別置きにするこの種の押込み装置は、シリンダ等によって直線往復運動するプッシャと、このプッシャの通過経路の上方に設けられた廃棄物投入口とを備え、コンテナの壁面に設けた受入れ口をプッシャの押動方向前方に臨ませて、前記投入口に投入された廃棄物をコンテナ内に押込む構造である。
【０００５】
押込み装置を内蔵したコンテナは、当然のことながらそのような装置を内蔵していないコンテナより高価である。コンテナは、交互に設置されるので予備のものが必要であり、設置されていない間はコンテナに内蔵した押込み装置は使用されないので、押込み装置の稼働率が悪く、不経済である。更に、コンテナの外寸が制限されるので、押込み装置を内蔵した分だけ廃棄物の収納量が小さくなり、コンテナ自体の重量も増大する。
【０００６】
一方、コンテナとは別置きで設けるものは、廃棄物の発生箇所に常設されるので、稼働率が高く、経済的である。しかし、別置きで設けられるため、装置の設置のためのスペースが必要である。
【０００７】
コンテナを設置したり搬出したりするときは、搬送車両へのコンテナの上げ降ろしが必要である。近年、コンテナの搬送用の車両としてフックロール車と呼ばれる車両が使用されるようになってきている。フックロール車は、図７に示すように、車両１に設置した揺動腕２の先端の上向きフック３で、コンテナ４の車両側壁面の上縁中央に設けたバー５を引っ掛け、フック３の上下動を伴う前後揺動により、コンテナ４を車両の荷台フレーム６上に引きずり上げ、又は引きずり降ろすもので、荷台フレーム６の後端上部には、コンテナ４の底部を案内する案内車輪７が設けられており、コンテナ４にもその後方（反車両側）下端に車輪８が設けられている。
【０００８】
このようなフックロール車で搬送されるコンテナ４に現場に設置した押込み装置９で廃棄物を押込むときは、コンテナ４の後壁面下方に廃棄物の受入れ口１０を設け、この受入れ口を設置されている押込み装置９に向けて押し出すようにフックロール車１からコンテナ４を降ろす。コンテナ４を車両に搭載するときも、車両１と押込み装置９との位置関係は、同様な位置関係となる。従って、押込み装置９の前方にコンテナ４と車両１を配置するスペースが必要であり、更に車両１の前方に当該車両のための進入スペースが必要である。
【０００９】
【発明が解決しようとする課題】
上述のように、コンテナに嵩高廃棄物を押込む押込み装置９をコンテナ４と別置きで設置したときは、押込み装置９に対するコンテナ４の配置位置が規定され、更にコンテナを当該位置に設置するための車両１やその進入スペースが必要になるため、押込み装置９の前方（押込み方向）に相当長いスペースが必要である。そして、従来構造の押込み装置は、廃棄物を押込むためのプッシャをこのスペースの長手方向である図の矢印１１方向に往復運動させるようになっており、当該プッシャの中心部を押動するシリンダが直列に配置される構造となるため、押込み装置９のプッシャの往復動方向の寸法Ｌが長くなり、押込み装置９やコンテナ４の設置及び車両１の進入等に必要なスペースの長さを益々大きくする問題があった。
【００１０】
そこでこの発明は、小型で特に設置スペースを小さくすることができ、しかもコンテナの隅々にまで効率良く廃棄物を押込むことができる別置き型の廃棄物押込み装置を得ることを課題としている。
【００１１】
【課題を解決するための手段】
上記課題を解決した本願請求項１のコンテナへの廃棄物の押込み装置は、コンテナの壁面３４に設けられた受入れ口１０の形状に対応する正面形状の往復駆動されるプッシャ１５と、このプッシャの通過空間を区画すると共に当該通過空間の上部に投入口２０を有する外箱１６とを備えた廃棄物の押込み装置において、前記プッシャが、縦軸２３回りに往復揺動する腕２９の先端側に当該腕から前方に突出するように設けられているというものである。
【００１２】
上記構造の押込み装置は、プッシャ１５を水平方向の腕２９の先端側に付けて縦軸２３回りに往復揺動させるようにしているため、装置の幅方向（押込み方向と直交する水平方向）寸法は若干大きくなるが、プッシャ１５を往復動させるシリンダを装置の側面や背面などの比較的自由な位置に配置できるため、プッシャ１５の押込み方向の寸法を大幅に短縮することができ、前記コンテナの設置スペースや車両の進入スペースを含む処理スペースを大幅に減少させることができる。
【００１３】
また、プッシャ１５を縦軸回りの揺動としたため、プッシャ１５の通過経路の上方に広い面積の廃棄物投入口２０を開口させることができると共に、コンテナの廃棄物受入れ口１０を壁面下方に設けて装置高さを低くしても、コンテナ内への廃棄物の押込みが不完全になるということがない。
【００１４】
即ち、プッシャを上方に設けた水平軸回りに揺動往復させるものでは、装置上部に大きな投入口を開口させることが困難であり、また、下方の水平軸回りに揺動させる構造では、コンテナの受入れ口を下方に設けた場合、コンテナ上部への押込みが不完全になる。水平軸をコンテナ側に設けて、押込方向を水平ないし上向きにすることも不可能ではないが、そうするとプッシャで押された廃棄物が装置上面の投入口に押し戻されるようになり、いずれにしても十分な押込み動作を行わせることができない。この発明の構造によれば、上記のような問題が生じず、投入口を大きくとれ、自然状態では嵩高となる廃棄物をコンテナ内に平均的に押込むことができる。
【００１５】
プッシャ１５を往復揺動させるシリンダ２７は、装置の側面や後面に配置することができるが、装置下方に対角方向に配置してやれば、ストロークの大きなシリンダを装置の幅寸法や押込方向寸法を大きくしないで搭載することができる。従って、本願請求項２の廃棄物の押込み装置は、前記請求項１記載の廃棄物の押込み装置において、プッシャ１５を往復揺動するシリンダ２７が外箱１６の底板下に対角方向に配置されているというものである。
【００１６】
また、本願請求項３の廃棄物の押込み装置は、前記請求項１又は２記載の廃棄物の押込み装置において、プッシャ１５の押圧面が、腕２９の先端側の縦長内向き傾斜面３２と、下方の横長上向き傾斜面３３とを備えた正面視で方形の押圧面であることを特徴とするものである。
【００１７】
プッシャ１５として上記請求項３の構造を採用することにより、コンテナ４の受入れ口１０を図５、６に示すようにコンテナの壁面の下方部分に片側に寄せて設けても、プッシャの縦長内向き傾斜面３２と横長上向き傾斜面３３との協働作用により、廃棄物の押込方向がコンテナの斜め上方の対角方向となるので、コンテナ内に満遍なく廃棄物を押込むことができる。そして、コンテナの受入れ口１０を上記のような位置とすることにより、押込装置９の高さを低くすることが可能で、コンテナの中心部に受入れ口１０によって切断されない補強部材を設けることができ、コンテナの軽量化が図れる。また、コンテナの前壁面中央部にコンテナ底部に連なる補強材を設けてその上端にフックロール車の上向きフック３に係合されるバー５を設け、受入れ口１０をこの前壁面の下側側方に設ける構造（図６参照）により、本願発明の押込み装置をコンテナの設置スペースと車両の進入スペースとの間に配置して、全体としての処理スペースを更に小さくすることも可能になる。
【００１８】
【発明の実施の形態】
以下、図面を参照して、この発明の実施形態を説明する。図１は天板を省略して当該天板に設けられた廃棄物投入口を想像線で示した平面図、図２は図１のＡ−Ａ矢視の側面図、図３はプッシャとこれを支持している腕とを示す斜視図、図４はプッシャ１５の正面図である。なお、図１はプッシャが最も後退した位置で示した図であり、図１には、プッシャの前進端位置が想像線で示されている。
【００１９】
装置外箱１６は、平面正方形の底板１７と、プッシャ１５の先端縦辺の軌跡に沿う頂角９０度の円弧壁を備えた平面扇形の胴部１８と、天板１９とを備えている。廃棄物の投入口２０は、プッシャ１５の揺動通路の上方の天板１９に設けられており、コンテナの受入れ口１０（図５、６参照）と対向する押出し口２１は、コンテナ側の壁面に開口している。
【００２０】
外箱１６のコンテナ中心に最も近い側の隅部には、上下端の軸受２２で縦軸２３が回転自在に軸支されている。縦軸２３の下端は、外箱１６の底板１７を貫通しており、その下端にクランク２４が取付けられ、このクランク先端ピン２５と外箱１６の定位置に設けた支点ピン２６との間に押込シリンダ２７が枢支されている。外箱１６は、車輪２８を押出し口側に２個、反押出し側に１個備えており、押込シリンダ２７は、外箱１６の底板と装置の設置床面との間に配置されている。
【００２１】
縦軸２３には、板状の腕２９の基端のボス３０が挿通されて、図示しないボルトで固定されている。腕２９の先端側には、押込方向に突出した態様で板金溶接構造のプッシャ１５が設けられている。プッシャ１５は、進出時にコンテナ４の受入れ口１０から当該コンテナ内へ若干進入するように短い角柱状にして腕２９の前面に形成されており、当該プッシャの押込み面は、基準押し面３１と、腕２９の先端側に位置してコンテナ４の中心側を向いた縦長内向き傾斜面３２と、下方に位置する上方を向いた横長上向き傾斜面３３との３面を備えている。図の実施例では、これらの面をいずれも平面で形成しているが、縦長内向き傾斜面３２及び横長上向き傾斜面３３を基準押し面３１と滑らかに連なる湾曲面としてもよい。ここで基準押し面３１は、コンテナ４内へのプッシャ１５の進入方向に対して略垂直な面である。
【００２２】
コンテナ４には、図５、６に示すように、後壁面３４又は前壁面３５の下方の片側に寄せた位置にプッシャ１５が挿入可能な受入れ口１０を設ける。この受入れ口は、コンテナ４の幅方向中心に達しない大きさで、当該幅方向中心に補強板が配置できるように考慮されている。従って図６に示すように、上縁中央部に懸吊用のバー５を設けた前壁３５側に受入れ口１０を設けることができ、設置スペースを小さくできる。このコンテナは、受入れ口１０を押込み装置の押出し口２１と合致させた状態で設置する。
【００２３】
押込装置のプッシャ１５は、図１に実線で示す後退位置で待機している。コンテナ４に収容する合成樹脂シートなどの嵩高廃棄物は、押込装置の投入口２０から投入され、投入した後、図示しない操作ボタンを押すことによって、押込シリンダ２７が伸長及び縮退動作を行い、プッシャ１５を進退させる。プッシャ１５の進出時に投入された廃棄物がプッシャ１５で押されて、コンテナ４内に押し込まれる。このときプッシャ１５の押込み面に形成した縦長内向き傾斜面３２及び横長上向き傾斜面の作用により、コンテナ４内の廃棄物をコンテナの対角方向上隅に向けて押動し、これによってコンテナの下方の片側に偏倚した位置に設けた受入れ口１０から押し込まれた廃棄物がコンテナ４内に満遍なく充填される。
【００２４】
【発明の効果】
以上説明したこの発明により、装置寸法の小さいコンパクトな別置き型の廃棄物押込み装置を提供することができ、廃棄物を処理するためのスペースを小さくすることができる。また、コンテナに設ける廃棄物の受入れ口をコンテナの片側に偏倚させて設けることができ、受入れ口１０を壁面の幅方向中央に設けることによるコンテナの強度低下を回避することができ、受入れ口１０を設けた側にフックロール車でコンテナを吊り上げるときのバーを設けることが可能になり、それによって廃棄物処理スペースを更に小さくすることができる。また、プッシャの押込み面に内向き傾斜面と上向き傾斜面とを設けることによって、下方かつ片側に偏倚させたコンテナの受入れ口からコンテナ内に廃棄物を満遍なく充填することが可能になる。
【図面の簡単な説明】
【図１】本発明の押込み装置の平面断面図
【図２】押込み装置の押出し口側から見た側面図（図１のＡ−Ａ矢視図）
【図３】プッシャとこれを支持する腕とを示す斜視図
【図４】プッシャの正面図
【図５】後壁下方の偏った位置に受入れ口を設けたコンテナの斜視図
【図６】前壁下方の偏った位置に受入れ口を設けたコンテナの斜視図
【図７】フックロール車によるコンテナの積み降ろしを押込み装置との位置関係で示す模式図
【符号の説明】
１０  受入れ口
１５  プッシャ
１６  外箱
２０  投入口
２３  縦軸
２７  押込みシリンダ
２９  腕
３４  後壁
【図１】
2004345854.tif 000003
【図２】
2004345854.tif 000004
【図３】
2004345854.tif 000005
【図４】
2004345854.tif 000006
【図５】
2004345854.tif 000007
【図６】
2004345854.tif 000008
【図７】
2004345854.tif 000009